(57)【特許請求の範囲】
【請求項１】
表面に凹溝部を介して凸ブロックの複数個を縦横に配したブロック調模様を有する矩形の建築板であって、
一方の接合端縁部には上実部が形成され、相対する他方の接合端縁部には下実部が形成されていて、
上記上実部側の最外凸ブロック列を構成する全凸ブロックを、板本体と該上実部とにまたがって形成することによって該上実部が補強されていて、
上記上実部側最外凸ブロック列を構成する凸ブロックの一部は該凸ブロック列に対して若干ずらして配列されていて、
上記上実部側最外凸ブロック列における凸ブロックの上実部端縁からの引込み量は、上記下実部側最外凸ブロック列における凸ブロックの下実部端縁からの引込み量よりも小さいことを特徴とする建築板。
【発明の詳細な説明】
【０００１】
【産業上の利用分野】
本発明は例えば外壁材として使用される建築板に関するものである。
【０００２】
【従来の技術】
この種の建築板の表面には凹溝部を介して凸ブロックの複数個を縦横に配したブロック調模様が付されている場合が多い。また該建築板の一方の接合端縁部には上実部が形成されており、他方の接合端縁部には下実部が形成されおり、一対の建築板は一方の建築板の下実部上に他方の建築板の上実部を重ねることによって接合される（例えば実開平５−８７１２２号）。
【０００３】
【発明が解決しようとする課題】
上記建築板において、上実部は肉薄に形成されているので機械的強度が小さく、折損や欠けが発生するおそれがある。更に接合端縁部において、両方の建築板の凸ブロックの外側端縁が一直線に揃うと、板の継目が目立ってしまうと云う問題点もある。
【０００４】
【課題を解決するための手段】
本発明は上記従来の課題を解決し、表面に凹溝部(3,4) を介して凸ブロック(5) の複数個を縦横に配したブロック調模様(2) を有する建築板(1) であって、一方の接合端縁部には上実部(6) が形成され、相対する他方の接合端縁部には下実部(7) が形成されおり、該上実部(6) 側の最外凸ブロック列(5C)を構成する全凸ブロック(5) を、板本体(1A)と該上実部(6) とにまたがって形成することによって該上実部(6) が補強されている建築板(1) を提供するものである。
上実部(6) 側および／または下実部(7) 側端縁部において、最外凸ブロック列(5C,5D) を構成する凸ブロック(5) の全部または一部は該凸ブロック列(5C,5D) に対して若干ずらして配列されていることが望ましく、更に上実部(6) 側最外凸ブロック列(5C)における凸ブロック(5) の上実部(6) 端縁(6A)からのずれは、下実部(7) 側最外凸ブロック列(5D)における凸ブロック(5) の下実部(7) 端縁(7A)からのずれよりも小さいかまたは０に設定されていることが望ましい。
【０００５】
【作用】
建築板(1) の表面に形成されているブロック調模様(2) において、上実部(6) が形成されている接合端縁部側の最外凸ブロック列(5C)を構成する凸ブロック(5) の全部を板本体(1A)と該上実部(6) とにまたがって形成すれば、上実部(6) は該凸ブロック(5) 分肉厚になって機械的強度が向上する。
上実部側および／または下実部側の端縁部において、最外凸ブロック列(5C,5D)を構成する凸ブロック(5) の全部または一部を、該凸ブロック列(5C,5D) に対して若干ずらして配列すれば、板と板との継目Ｓに位置する凹溝部(4) の巾が変化することになり、継目Ｓが目立たなくなる。
この場合、上実部(6) 側最外凸ブロック列(5C)における凸ブロック(5) の上実部(6) 端縁(6A)からのずれを大きくすると、即ち凸ブロック(5) を大きく奥（本体側）に引込ませると、上実部(6) の露出部分が増大して補強効果が低下する。しかし板と板との継目Ｓを目立たなくさせるには、該継目Ｓにある凹溝部(4) の巾が大きく変化することが必要である。そこで上実部側最外凸ブロック列(5C)の凸ブロック(5) については上実部(6) 端縁(6A)からのずれを小さくするか０にし、その代りに下実部側最外凸ブロック列(5D)の凸ブロック(5) の下実部(7) 端縁(7A)からのずれを大きくして該凹溝部(4) の巾の変化の度合を大きくする。
【０００６】
【発明の実施の形態】
本発明を図１〜図４に示す一実施例によって説明すれば、建築板(1) は例えば木片、木質パルプ、木質繊維等を木質補強材として混合したセメント板である木質セメント板からなり、エンボス加工によって表面には縦横凹溝部(3,4) を介して凸ブロック(5) の複数個を縦横に配したブロック調模様(2) が形成され、また一方の接合端縁部には上実部(6) が形成され、相対する他方の接合端縁部には下実部(7) が形成されている。該凸ブロック(5) の上面(5A)にはエンボス加工によって微細凹凸模様(8) が付されて天然石調あるいはれんが調の意匠となっており、更に凸ブロック(5) の４辺周縁面(5B)は斜面とされている。該周縁面(5B)の傾斜に緩急を持たせると意匠が多様化して面白味が増す。
【０００７】
該凸ブロック(5) は各種横巾、縦巾、形状のものがランダム状に配置され、意匠に不規則な面白味を与えている。
【０００８】
上実部(6) 側最外凸ブロック列(5C)にあっては、図２および図３に示すように板本体(1A)と上実部(6) とにまたがって全凸ブロック(5) が形成され、該上実部(6) 厚みを該凸ブロック(5) の厚みによって増大させることにより補強している。該上実部(6) 側最外凸ブロック列(5C)においては、上実部(6) 端縁(6A)に外縁を接する凸ブロック(5) （図２参照）と上実部(6) 端縁(6A)から若干奥に引込ませた凸ブロック(5) （図３参照）が略交互に配されているが、この引込み量（ずれ量）ｄ1 は該凸ブロック(5) の上実部(6) に対する補強効果を低下させないよう、極く僅かに設定されている。
【０００９】
一方下実部(7) 側最外凸ブロック列(5D)にあっては、実の強度に影響しないので、外縁を下実部(7) 端縁(7A)に揃えた凸ブロック(5) と、奥にある程度大きく引込ませた凸ブロック(5) とを略交互に配する。この凸ブロック(5) の下実部(7) 端縁(7A)からのずれ量をｄ2 とすれば、ｄ2 ＞ｄ1 である。
【００１０】
この実施例では、図４に示すように板と板との継目Ｓに位置する該凹溝(4) の巾の変化の度合が大きくなり、該凹溝(4) の巾が変化する部分で連続性が絶たれるため、継目Ｓが目立たなくなる。
【００１１】
上記実施例以外、図５に示すように上実部(6) 側最外凸ブロック列(5C)の凸ブロック(5) のいくつかのものゝ外縁を上実部(6) 端縁(6A)に接するようにしてもよい。この場合板接合部において、一方の板の接合側最外列の凸ブロック(5) 外縁と他方の板の接合側最外列の凸ブロック(5) の外縁とが直接接する部分があるが、前記したように該凸ブロック(5) の４辺周縁面(5B)は斜面になっているので、凸ブロック(5) 相互が直接接しても、この部分の横凹溝(4) の巾は確保され０にならない。
【００１２】
【発明の効果】
本発明にあっては、建築板の上実部がブロック調模様の凸部によって補強されるので、上実部の強度が向上し、上実部の折損、欠け等が確実に防止される。
【図面の簡単な説明】
図１〜図４は本発明の一実施例を示すものである。
【図１】正面図
【図２】側断面図
【図３】別な個所の側断面図
【図４】板相互を接続した状態の説明正面図
【図５】他の実施例の板相互を接続した状態の説明正面図
【符号の説明】
1       建築板
2       ブロック調模様
3,4     縦横凹溝部
5       凸ブロック
5A      上面
5B      周縁面
5C      上実部側最外凸ブロック列
5D      下実部側最外凸ブロック列
6       上実部
6A      上実部端縁
7       下実部
7A      下実部端縁
8       微細凹凸模様
d1，d2  ずれ量
Ｓ      継目
【図１】
0004104897.tif 000002
【図２】
0004104897.tif 000003
【図３】
0004104897.tif 000004
【図４】
0004104897.tif 000005
【図５】
0004104897.tif 000006